Podtech/llm-jp-corpus-v4-ja_patent huggingface dataset:
(57)【要約】      （修正有）【課題】一枚の１２センチビデオディスクに、記録フォーマットの異なる二種類の信号を記録させる販売・レンタル用ビデオディスクを提供する。【解決手段】記録層が片面一層の１２センチ・デジタル・ディスクで、収録時間がだいたい同じぐらいになるように記録面を内周と外周で分けて、ＤＶＤ方式とブルーレイ方式のそれぞれ異なる信号フォーマットで同一コンテンツをハイブリッド収録する。また、記録層が片面二層または両面二層の１２センチ・デジタル・ビデオディスクで、収録時間がだいたい同じぐらいになるように記録面を内周と外周で分けて、ＤＶＤ方式とブルーレイ方式のそれぞれ異なる信号フォーマットで同一コンテンツをハイブリッド収録する。【選択図】図１
0003191292.tif 000002
【実用新案登録請求の範囲】
【請求項１】
記録層が片面一層の１２センチ・デジタル・ビデオディスクで、収録時間がだいたい同じぐらいになるように記録面を内周と外周で分けて、ＤＶＤ方式とブルーレイ方式のそれぞれ異なる信号フォーマットで同一コンテンツをハイブリッド収録した販売・レンタル用ビデオソフト。
【請求項２】
［請求項目１］の案を，そのまま片面または両面二層化したもの。
【請求項３】
片面二層の１２センチ・デジタル・ビデオディスクで、記録層のどこか一箇所で記録面を分けて、ＤＶＤ方式とブルーレイ方式で同一コンテンツをハイブリッド収録した販売・レンタル用ビデオソフト。
【請求項４】
片面または両面二層の１２センチ・デジタル・ビデオディスクで、各層ごとにＤＶＤ方式とブルーレイ方式のそれぞれ異なる信号フォーマットで同一コンテンツをハイブリッド収録した、販売・レンタル用ビデオソフト。
【考案の詳細な説明】
【技術分野】
【０００１】  本考案は、一枚の１２センチビデオディスクに、記録フォーマットの異なる二種類の信号を記録させるものです。
【技術背景】
【０００２】  現在、デジタル・ビデオディスクにはＤＶＤ方式とブルーレイ方式の二種類あり、同一タイトルのソフトがわざわざ二種類発売されています。
【考案の概要】
【考案が解決しようとする課題】
【０００３】  同一タイトルを二種類発売するのは、メーカーにとっても製造・流通コストが二重にかかるし、小売店も陳列スペースをとるし、消費者も店に欲しい商品がなかったりと、不都合を生じさせています。これを一枚のディスクにまとめたい。
【課題を解決するための手段】
【０００４】  ＤＶＤは一層の記録容量が４．７Ｇバイトで、映像記録時間に換算して約１２０分前後。ブルーレイは２５Ｇバイトで容量に余裕がある。それを少し間引いて記録面をＤＶＤに割り当ててやれば、一枚のディスクにＤＶＤ方式とブルーレイ方式両方の信号フォーマットで同一コンテンツをハイブリッド収録することができると思います。
片面一層ディスクの内周と外周で記録方式を分ければ、同一コンテンツをだいたい８０分前後ずつ、二層にすれば１６０分前後ずつハイブリッド収録できるのでは？
単純に片面二層ディスクの一層目と二層目で記録方式を分けても、だいたい１２０分前後までなら収録できると思います（収録時間は作品の情報量にもよりますが）。
【考案の効果】
【０００５】  もし実現すれば、製造・流通コストの削減、消費者の利便性向上は明らかです。
ブルーレイ方式のレコーダー、プレーヤーは普及率が低いので、一枚のディスクでＤＶＤとブルーレイの双方に互換性を持たせる意味は大きいと思います。８０分以下の短編ソフトさえ、わざわざ二種類出してる現状は資源と労力の無駄使いです。
【図面の簡単な説明】
【０００６】
【図１】正面図
【図２】断面図
【図１】
0003191292.tif 000003
【図２】
0003191292.tif 000004
【手続補正書】
【提出日】平成26年3月30日(2014.3.30)
【手続補正１】
【補正対象書類名】実用新案登録請求の範囲
【補正対象項目名】全文
【補正方法】変更
【補正の内容】
【実用新案登録請求の範囲】
【請求項１】
記録層が片面一層の１２センチ・デジタル・ディスクで、収録時間がだいたい同じぐらいになるように記録面を内周と外周で分けて、ＤＶＤ方式とブルーレイ方式のそれぞれ異なる信号フォーマットで同一コンテンツをハイブリッド収録した販売・レンタル用ビデオディスク。
【請求項２】
記録層が片面二層または両面二層の１２センチ・デジタル・ビデオディスクで、収録時間がだいたい同じぐらいになるように記録面を内周と外周で分けて、ＤＶＤ方式とブルーレイ方式のそれぞれ異なる信号フォーマットで同一コンテンツをハイブリッド収録した販売・レンタル用ビデオディスク。
【請求項３】
片面二層の１２センチ・デジタル・ビデオディスクで、記録層のどこか一箇所で記録面を分けて、ＤＶＤ方式とブルーレイ方式のそれぞれ異なる信号フォーマットで同一コンテンツをハイブリッド収録した、販売・レンタル用のビデオディスク。
【請求項４】
片面または両面二層の１２センチ・デジタル・ビデオディスクで、各層ごとにＤＶＤ方式とブルーレイ方式のそれぞれ異なる信号フォーマットで同一コンテンツをハイブリッド収録した、販売・レンタル用ビデオディスク。
(57)【要約】      （修正有）【課題】過充電や液漏れの心配がなく、いつでも手軽に安心して充電することが出来るタイマー付き乾電池充電器を提供する。【解決手段】乾電池充電器本体１にタイマー２を取り付けて、指定時間内に充電を終わらせ、過充電や液漏れ及び電源の切り忘れを防止する。【選択図】図１
0003191294.tif 000002
【実用新案登録請求の範囲】
【請求項１】
乾電池充電器にタイマーを取り付けて、指定時間内に充電を終わらせ、過充電や液漏れ及び電源の切り忘れを防止する。
【考案の詳細な説明】
【技術分野】
【０００１】  この考案は乾電池充電器にタイマーを取り付けて過充電や液漏れを防止すると共に、電源の切り忘れを防止するものである。
【背景技術】
【０００２】  従来、乾電池を充電しようとすると、電池を充電器にセットして充電中または充電完了を確認するのみで終了時間を知ることは出来なかった。
【考案が解決しようとする課題】
【０００３】  これは次のような欠点があった。
（イ）  充電器にセットしたまま放置し、忘れてしまうことがあった。
（ロ）  充電終了時間が分からず何度も確認することがあった。
（ハ）  過充電による液漏れもあった。
【課題を解決するための手段】
【０００４】  乾電池充電器本体にタイマーを取り付ける。
充電しようとする乾電池を本体にセットしタイマーを希望する時間に合わせて充電を開始する。
タイマーが切れたら充電が完了する。
【考案の効果】
【０００５】  充電器本体にタイマーを取り付けることにより、いつでも安心して気軽に充電が出来、過充電や液漏れを防止する。
そのため就寝前や外出前などでも思い立ったときに充電をしておくことが出来必要なときにすぐに使用できる。
【考案を実施するための最良の状態】
【０００６】  以下、本考案の実施例について説明する。
（イ）  充電しようとする乾電池を本体表示の箇所に入れて電池残量を計測。
（ロ）  時間表例に従いタイマーをセットする。
（ハ）  充電器本体とＡＣアダプターをつなぎ、コンセントに差し込み充電を開始する。
（ニ）  タイマーが切れたら充電が完了するので乾電池を取り出す。
【図面の簡単な説明】
【０００７】
【図１】  本考案の斜視図である。
【図２】  本考案の平面図である。
【図３】  本考案の正面図である。
【図４】  本考案の左側面図である。
【図５】  本考案の右側面図である。
【符号の説明】
【０００８】  １    充電器本体
２    タイマー
３    ＡＣアダプター挿入口
４    スライドスイッチ
５    メーター
６    ＬＥＤランプ
【図１】
0003191294.tif 000003
【図２】
0003191294.tif 000004
【図３】
0003191294.tif 000005
【図４】
0003191294.tif 000006
【図５】
0003191294.tif 000007
【手続補正書】
【提出日】平成26年3月19日(2014.3.19)
【手続補正１】
【補正対象書類名】実用新案登録請求の範囲
【補正対象項目名】全文
【補正方法】変更
【補正の内容】
【実用新案登録請求の範囲】
【請求項１】
乾電池充電器にタイマーを取り付けて、指定時間内に充電を終わらせ、過充電や液漏れ及び電源の切り忘れを防止することを特徴とするタイマー付き乾電池充電器。
(57)【要約】      （修正有）【課題】便器、床を汚すことなく放尿することができるようにしたトイレットペーパー又はちり紙を提供する。【解決手段】折線部４から一方の辺までの距離５が、折り線部から他方の辺までの距離３よりも大きくなるように折り線部で折ったことを特徴とする。【選択図】図４
0003191293.tif 000002
【実用新案登録請求の範囲】
【請求項１】
トイレットペーパー又はちり紙（従来より厚め）尿道に巻き便器に放尿するとき  図２
【請求項２】
トイレットペーパー又はちり紙（従来より厚め）図３のように折り、図４のように取りしろをとる、使いやすい形状
【考案の詳細な説明】
【技術分野】本考案は、便器、床に付着する尿をなくすためのもの
【背景技術】従来は、便器、床に付着して不衛生
【考案の概要】
【考案が解決しようとする課題】トイレで放尿する場合、便器や床に付着することがあり、掃除が大変であり、不衛生でした。
【課題を解決するための手段】便器や床に尿が付着することがないようにトイレットペーパー又はちり紙を尿道に巻き放尿する。
【考案の効果】従来は便器や床が汚れ、高齢者が特にひどく薬をのんでる方等はにおいが付着し、悪臭がひどい、防止用トイレットペーパーを使用することにより解消します。
【図面の簡単な説明】図１は便器、床が汚れた状態、図２はトイレットペーパーを使用した効果。
図３はトイレットペーパー又はちり紙２つ折り図。図４は開いた状態で開きやすいように片面を少し広くする。【図１】便器、床、汚れた立体図
【図２】飛散防止の為トイレットペーパーを使用した立体図
【図３】トイレットペーパー又はちり紙２つ折りの図（片方は開きやすい様に少し広くする）平面図
【図４】使用のため開いた平面図
【符号の説明】１．尿
２．飛散防止用トイレットペーパー又はちり紙
３．短い
４．折線
５．長い
【図１】
0003191293.tif 000003
【図２】
0003191293.tif 000004
【図３】
0003191293.tif 000005
【図４】
0003191293.tif 000006
【手続補正書】
【提出日】平成26年3月26日(2014.3.26)
【手続補正１】
【補正対象書類名】実用新案登録請求の範囲
【補正対象項目名】全文
【補正方法】変更
【補正の内容】
【実用新案登録請求の範囲】
【請求項１】
折線部から一方の辺までの距離が、折り線部から他方の辺までの距離よりも大きくなるように折り線部で折ったトイレットペーパー又はちり紙。
【請求項２】
取りしろを設けたことを特徴とする請求項１に記載されたトイレットペーパー又はちり紙。
(57)【要約】      （修正有）【課題】洗濯可能な靴用中敷を提供する。【解決手段】靴用中敷は、吸水性の高い吸水性シート１１と、クッションシート１３と、滑り止めシート１５とを重ねた状態で縫い合わせて結合して構成される。例えば、タオル地やパイル地の中にウレタンを入れ、底に滑り止めシート１５を用い、周縁をパイピングで結合した構造を有している。その他、内部にウレタンを入れ、薄地のニット地でくるむように縫い、網状のパターンの滑り止めシートを縫い合わせて付けた構造にしてもよい。【選択図】図３
0003191216.tif 000002
【実用新案登録請求の範囲】
【請求項１】
吸水性の高い吸水性シートと、
クッションシートと、
滑り止めシートと
を重ねた状態で縫い合わせて結合した
ことを特徴とする洗濯可能な靴用中敷。
【請求項２】
前記吸水性シートは、タオル地であり、
前記クッションシートは、ウレタンであり、
前記吸水性シートと前記クッションシートと前記滑り止めシートとをパンピングにより縫い合わせて結合したことを特徴とする
請求項１に記載の洗濯可能な靴用中敷。
【考案の詳細な説明】
【技術分野】
【０００１】
本考案は、洗濯可能な靴用中敷に関するものである。
【背景技術】
【０００２】
従来の靴用の中敷は、複数枚の合成樹脂製シートの周縁部を融着して密封嚢体を形成した構造を有している。
【考案の概要】
【考案が解決しようとする課題】
【０００３】
しかし、従来の靴用の中敷では、洗濯をすると、融着部分が離間し、洗濯後に使用できなくなることが多い。
そのため、再利用ができず、使い捨てとなり、環境上好ましくないと共に、経済効率が悪いという問題がある。
【０００４】
本考案は上記の点に鑑みてなされたもので、その目的は、洗濯可能な靴用中敷を提供することにある。
【課題を解決するための手段】
【０００５】
上述した従来技術の問題点を解決し、上述した目的を達成するために、本考案の洗濯可能な靴用中敷は、吸水性の高い吸水性シートと、クッションシートと、滑り止めシートとを重ねた状態で縫い合わせて結合したことを特徴とする。
【０００６】
好適には、本考案の洗濯可能な靴用中敷は、前記吸水性シートは、タオル地であり、前記クッションシートは、ウレタンであり、前記吸水性シートと前記クッションシートと前記滑り止めシートとをパンピングにより縫い合わせて結合したことを特徴とする。
【考案の効果】
【０００７】
本考案によれば、洗濯可能な靴用中敷を提供することができる。
【図面の簡単な説明】
【０００８】
【図１】図１は、本考案の第１実施形態に係る洗濯可能な靴用中敷の平面図である。
【図２】図２は、図１に示す靴用中敷の底面図である。
【図３】図３は、図１に示す靴用中敷の部分断面図である。
【図４】図４は、本考案の第２実施形態に係る洗濯可能な靴用中敷の平面図である。
【図５】図５は、図４に示す靴用中敷の底面図である。
【考案を実施するための形態】
【０００９】
以下、本考案の実施形態に係る洗濯可能な靴用中敷を説明する。
本実施形態の靴用中敷は、吸水性の高い吸水性シートと、クッションシートと、滑り止めシートとを重ねた状態で縫い合わせて結合して構成される。
【００１０】
例えば、第１実施形態の靴用中敷１は、タオル地やパイル地の中にウレタンを入れ、底に滑り止めシートを用い、周縁をパイピングで縫い合わせた構造をしている。また、使用者が既に使用した中敷きをパイピングして洗いまわしができるようにしてもよい。なお、底の滑り止めシートやパイピングで縫い合わせた部分の強度には限界はあるが、洗濯機による洗濯程度であれば問題ない。
【００１１】
図１は本考案の第１実施形態に係る洗濯可能な靴用中敷１の平面図、図２は図１に示す靴用中敷１の底面図、図３は図１に示す靴用中敷１の部分断面図である。
図３に示すように、吸水性の高いタオル地等の吸水性シート１１と、クッションシート１３と、滑り止めシート１５とが、パイピング２１等で縫い合わせて結合されている。
【００１２】
図４は本考案の第２実施形態に係る洗濯可能な靴用中敷１０１の平面図、図５は図４に示す靴用中敷１０１の底面図である。
第２実施形態に係る靴用中敷１０１は、内部にウレタンを入れ、薄地のニット３１地でくるむように縫い、網状のパターンの滑り止めシート２５を縫い合わせて付けた構造を有している。この滑り止めシート２５は、洗濯に強い。
【００１３】
その他、内部にウレタンを入れ、ボーダーのニット地等でくるむように縫い、底に滑り止めシートを縫い付けてもよい。パイピングで結合した場合、特にタオル地等は縫い目部分が弱くなるが、この構造では問題はない。この構造では、生地としてタオル地等を自由に使うことができる。
【００１４】
その他、薄地のニット地をくるむように縫い、底部にボンドで滑り止めパターンを形成してもよい。内部には、例えば、生地が３枚重ねて配置されている。
【００１５】
その他、内部にウレタン付きポリの板状の素材を入れ、ダブルガーゼでくるんで縫う構造にしてもよい。底は、ボンドで滑り止めパターンを形成する。この構造では、形状がしっかりしているので、型崩れしにくい。
【００１６】
その他、内部にウレタンを入れ、ダブルガーゼでくるみ縫い合わせた構造にしてもよい。この構造によれば、柔らかい仕上げにすることができる。
【００１７】
本実施形態の洗濯可能な靴用中敷では、吸水性の高い吸水性シートと、クッションシートと、滑り止めシートとを重ねた状態で縫い合わせて結合したことで高い強度を持たせることができ、洗濯しても素材が離間することはない。
そのため、靴用中敷を洗濯後に再利用ができ、環境上好ましくい共に、経済効率がよい。
【００１８】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
【００１９】
例えば、本考案の吸水性シートと、クッションシートと、滑り止めシートとは上述した実施形態に示した素材に限定されない。また、これらを重ねた状態で縫い合わせて結合した構造は上述したものには限定されない。
また、吸水性シートやクッションシートに芳香材を入れてもよい。
【産業上の利用可能性】
【００２０】
本考案は、靴の中敷に適用可能である。
【符号の説明】
【００２１】
１，１０１…靴用中敷
１１…吸水性シート
１３…クッションシート
１５…滑り止めシート
２１…パイピング
【図１】
0003191216.tif 000003
【図２】
0003191216.tif 000004
【図３】
0003191216.tif 000005
【図４】
0003191216.tif 000006
【図５】
0003191216.tif 000007
(57)【要約】      （修正有）【課題】作業を効率化するドライバービット装置を提供する。【解決手段】既存の６角軸ドリルビット２に、６角軸ドリルビットに装着できるドライバービット１を装着すると、ドライバービットとして使用することが出来る。よって、下穴を開けるときに使用したドリルビットを外さずに、ドライバービットとして使用できるので、作業を効率化することができる。６角軸ドリルビットに装着できるドライバービット１には、軸部３に磁石５を埋め込んであるので、簡単に着脱できるとともに磁力により不用意な脱落を防止することができる。【選択図】図１
0003191264.tif 000002
【実用新案登録請求の範囲】
【請求項１】
電動回転工具用６角軸ドリルビットに装着できることを特徴とするドライバービット装置。
【請求項２】
軸部に磁石を埋め込み、簡単に着脱できるとともに磁力により不用意な脱落を防止する装置。
【考案の詳細な説明】
【考案の概要】
【考案が解決しようとする課題】  電動回転工具を使用して木ネジやタッピングねじをねじ込む際には、素材のひび割れやゆがみを防止するために下穴を開ける必要がある
この作業のためには、ドリルビットとドライバービットを交互に取替えるか、ドリルを２台使用しなければならず作業効率が悪かった。
そこで、この考案は、ドリルビットとドライバービットを交互に取替える回数を減らして、作業効率を高める装置を提供することを課題とする。
【課題を解決するための手段】  以上の課題を解決するために、第一考案は、６角軸ドリルビットに装着できるドライバービットの着脱により、下穴あけと木ネジやタッピングねじをねじ込む作業を効率化することを特徴とする装置である。
また、第二考案は、軸部に磁石を埋め込み、簡単に着脱できるとともに磁力により不用意な脱落を防止する装置である。
【考案の効果】  第一考案、または第二考案によれば、下穴を開けるときに使用したドリルビットを、外さずにドライバービットを取り付けてねじ込む作業ができるので、作業を効率化することができる。
【図面の簡単な説明】
【図１】この考案の一実施形態を示す断面図である。
【図２】この考案の６角軸ドリルビットに装着できるドライバービットを示す外観図である。
【考案を実施するための形態】
この考案の一実施形態を、図１に示す。
６角軸ドリルビットに装着できるドライバービットを装着した一実施形態を示す断面図である。
「実施形態の効果」
この実施形態によれば、既存の６角軸ドリルビットに、６角軸ドリルビットに装着できるドライバービットを装着すると、ドライバービットとして使用することが出来る。よって、下穴を開けるときに使用したドリルビットを外さずに、ドライバービットとして使用できるので、作業を効率化することができる。
６角軸ドリルビットに装着できるドライバービットには、軸部に磁石を埋め込んであるので、簡単に着脱できるとともに磁力により不用意な脱落を防止することができる。
【符号の説明】１  ６角軸ドリルビットに装着できるドライバービット
２  既存の６角軸ドリルビット    ３  軸部    ４  ドライバービット部
５  磁石
【図１】
0003191264.tif 000003
【図２】
0003191264.tif 000004
【手続補正書】
【提出日】平成26年1月22日(2014.1.22)
【手続補正１】
【補正対象書類名】実用新案登録請求の範囲
【補正対象項目名】全文
【補正方法】変更
【補正の内容】
【実用新案登録請求の範囲】
【請求項１】
電動回転工具用６角軸ドリルビットに合体装着することによりドライバービットとして使用することができるドライバービット装置。
【請求項２】
軸部内の磁石による脱落防止機能で脱落を防止し簡単に着脱できることを特徴とする請求項１に記載のドライバービット装置。
【手続補正書】
【提出日】平成26年3月19日(2014.3.19)
【手続補正１】
【補正対象書類名】実用新案登録請求の範囲
【補正対象項目名】全文
【補正方法】変更
【補正の内容】
【実用新案登録請求の範囲】
【請求項１】
電動回転工具用６角軸ドリルビットを挿入できるよう中空にしたドライバービットをドリルビットに差し込みドライバービットとして使用することができることを特徴とするドライバービット装置。
【請求項２】
ドライバービット軸部内に埋め込んだ磁石がドリルビット軸部を吸着して脱落を防止し簡単に着脱できることを特徴とする請求項１に記載のドライバービット装置。
(57)【要約】      （修正有）【課題】鍋底が焦げ付くことが無くなる、鍋底を摺動する装置を提供する。【解決手段】上部固定部分１を鍋の上部に取り付けハンドル２を回すことにより軸受け部分を介して回転軸４が回転し鍋底に接したブレードを回転させて鍋底を摺動する。【選択図】図１
0003191263.tif 000002
【実用新案登録請求の範囲】
【請求項１】
鍋の上部に装着してハンドルを回すことにより鍋底を摺動することを特徴とする装置。
【考案の詳細な説明】
【考案の概要】
【考案が解決しようとする課題】  カレーのように粘度の高い液体を加熱すると対流が起きにくいので、ヘラなどでかき混ぜていないと鍋の底面に接する部分が焦げ付きを起こしてしまう。
そこで、この考案は、カレーのように粘度の高い液体を加熱する時に、底面に接する部分が焦げ付かない装置を提供することを課題とする。
【課題を解決するための手段】  以上の課題を解決するための考案は、鍋の上部に装着してハンドルを回すことにより鍋底を摺動することを特徴とする装置である。
【考案の効果】  この考案によれば、鍋底を摺動する装置を作動させると、鍋底は常に新しい液に置き換えられるので、鍋底が焦げ付くことが無くなる。
副次的な効果として、焦げ付きの心配が無いので強い火力での加熱が可能になり、加熱時間が短縮する。
【図面の簡単な説明】
【図１】この考案の一実施形態を示す断面図である。
【考案を実施するための形態】
この考案の一実施形態を、図１に示す。
既存の鍋に鍋底を摺動する装置を付けた一実施形態を示す断面図である。
「実施形態の効果」
この実施形態によれば、鍋の上部に取り付けた装置のハンドルを回し鍋底を摺動することにより鍋底が焦げ付くことが無くなる。
「他の実施形態」
図１の実施形態では、鍋の上部に取り付けた装置のハンドルを回し鍋底を摺動する装置を作動させていたが、他の実施形態では、電動で鍋底を摺動する装置を作動させたものでも良い。
【符号の説明】  １  上部固定部分    ２  ハンドル    ３  摺動部分（ブレード）
４  回転軸    ５  軸受け部分    ６  （既存の鍋）
【図１】
0003191263.tif 000003
【手続補正書】
【提出日】平成26年1月20日(2014.1.20)
【手続補正１】
【補正対象書類名】実用新案登録請求の範囲
【補正対象項目名】全文
【補正方法】変更
【補正の内容】
【実用新案登録請求の範囲】
【請求項１】
鍋の上部に装着してハンドルを回すことにより鍋底に接したブレードを回転させ鍋底を摺動することを特徴とする装置。
【手続補正書】
【提出日】平成26年3月19日(2014.3.19)
【手続補正１】
【補正対象書類名】実用新案登録請求の範囲
【補正対象項目名】全文
【補正方法】変更
【補正の内容】
【実用新案登録請求の範囲】
【請求項１】
上部固定部分を鍋の上部に取り付けハンドルを回すことにより軸受け部分を介して回転軸が回転し鍋底に接したブレードを回転させて鍋底を摺動することを特徴とする装置。
(57)【要約】      （修正有）【課題】狭い場所に設置出来、清潔なコンパクト男性用便器を提供する。【解決手段】直交するふたつの面を便器の背面とし、便器の前面の縁を高く、小水の流れる溝まで低くし、下方部を空けるようにした。足先が前に出せるので体が便器に密着しやすく清潔に使用できる。また、トイレ内コーナーのような狭い場所にも設置可能である。【選択図】図２
0003191288.tif 000002
【実用新案登録請求の範囲】
【請求項１】
本考案の便器は三角形で、前面を高く、深くしたコンパクトな男性用便器である。
【考案の詳細な説明】
【技術分野】
【０００１】  コーナーに設置できるようにした、三角形の陶磁器製又はプラスチック製のコクパクトな男性用便器である。
【背景技術】
【０００２】  普通の便器で男性が立って小便をする場合位置が低く、おしっこをはねたり、こぼしたりしやすかった。
【考案の概要】
【考案が解決しようとする課題】
【０００３】  従来、狭い日本的家屋ではトイレの外又は内側に男性用便器を取り付けるスペースがなかった。又、普通の便器では、おしっこをこぼしたり、はねたりしやすかった。本製品はそれを解決するものである。
【課題を解決するための手段】
【０００４】  便器の前面を高く深くし下を空けて足先が前方に出、体が便器に密着するため、おしっこをこぼしにくくなる。
【考案の効果】
【０００５】  三角形で小型なので、狭いトイレ内にも設置でき、おしっこもこぼれにくく、非常に清潔になった。
【図面の簡単な説明】
【０００６】
【図１】三角形の本考案の男性用便器、前面である。
【図２】本考案の男性用便器、斜視図である。
【図３】本考案の便器のトイレ内設置場所図である。
【考案を実施するための形態】
【０００７】  前面を高くしたため、まわりを汚さず、従来と同じ方法で上から水を流し、清潔になる。
【実施例】
【０００８】  下の方が空いているので、立って小便をする場合、足先が前に入り、便器と体が密着するようになる。
【産業上の利用可能性】
【０００９】  一般の家庭、マンションのトイレ内に設置出来、小型なので製品も安く、水道、下水管も近いので工事費も安く、普及しやすい。
【符号の説明】
【００１０】  １  コップを置ける程度の平面台
２  排水管
【図１】
0003191288.tif 000003
【図２】
0003191288.tif 000004
【図３】
0003191288.tif 000005
【手続補正書】
【提出日】平成26年3月24日(2014.3.24)
【手続補正１】
【補正対象書類名】実用新案登録請求の範囲
【補正対象項目名】全文
【補正方法】変更
【補正の内容】
【実用新案登録請求の範囲】
【請求項１】
トイレ内コーナーに設置するため、直交するふたつの面を便器の背面とし、便器の前面の縁を高く、小水の流れる溝までを低くした、コンパクト男性用便器
(57)【要約】      （修正有）【課題】ＰＥＴ素材等のプラスティック水筒の内部洗浄が容易で、清潔に利用できるとともに、携帯に便利な水筒を提供する。【解決手段】プラスティック水筒の中央部分２を分割ねじ込み分離部とし、ここを分離させることで内部を直接洗浄可能とする。清潔な状態を保てることから何度でも再利用が可能である。また、水筒本体にループ状突起３を形成し、ここに運搬用カラビナ等の係留器具４を装着し、携帯時の利便性を向上させる。【選択図】図１
0003191287.tif 000002
【実用新案登録請求の範囲】
【請求項１】
ＰＥＴ素材等のプラスティックを用いた水筒の胴体部をねじ込み分離式としたもので、内側全面の洗浄が可能であるとともに、キャップ付近にカラビナを設け、持ち運びが容易なもの。
【考案の詳細な説明】
【技術分野】
【０００１】  本考案は、ＰＥＴ素材等のプラスティック水筒の胴体部をねじ込み分割式とし、運搬用カラビナを装備した水筒である。
【背景技術】
【０００２】  ＰＥＴ素材等のプラスティックを用いた水筒は内部の洗浄が簡易的にしかできず、水ですすぐ程度で再使用していた。
【先行技術文献】
【特許文献】
【０００３】なし
【非特許文献】
【０００４】なし
【考案の概要】
【考案が解決しようとする課題】
【０００５】  ＰＥＴ素材等のプラスティックを用いた水筒は、注ぎ口（開口部）が小さく、使用後の洗浄は水をすすぐ程度が限界であり、内容物は洗浄が容易な水やお茶などに限定されてしまう。
また、ペットボトル飲料は、原則、容器は使い捨てであるため、運搬用カラビナ等の係留器具を装備することは自動販売機の構造や費用などの面から実施されない。
【課題を解決するための手段】
【０００６】  水筒胴体部をねじ込み式の分割構造とし、洗浄時には分割することにより開口部から食器洗い用スポンジや洗剤で容易に内部まで直接洗浄が可能となる。
本水筒は再利用が可能であるため、利便性向上のための運搬用カラビナが装備できる。
【考案の効果】
【０００７】  本考案は、前記のとおり洗浄が容易であることから、内容飲料を限定することなく使用でき、使用後は完全な洗浄が可能であることから、衛生上も有効な効果を発揮する。
また、使い捨てでなく再利用が可能であるため、省資源化や環境問題解決に寄与するものである
【図面の簡単な説明】
【０００８】
【図１】  本考案の内部洗浄でき、持ち運びに便利で何度でも使えるペットボトルの一実施例を示す正面図である。
【考案を実施するための形態】
【０００９】  水筒本体をねじ込み式の分割構造とする。ねじ込み部は内容物が漏れないよう適切なねじ巻き数とする。
また、上部飲用キャップ付近にループ状の形成を施した上で、カラビナ等の係留器具を装着する。
【実施例】
【００１０】  以下、添付図面に従って一実施例を説明する。１で示すＰＥＴ素材等のプラスティックを用いた水筒の２部分をねじ込み分割式としプラスティック形成する。分離時は内部洗浄を容易に行うための有効な開口部となる。使用時は有効なねじ巻き数を確保することにより、内容物の漏れを防止する。
また、３で示すループ状の突起物をＰＥＴ素材等のプラスティックで本体と一体形成し、この部分に４で示す運搬用カラビナ等の係留器具を装備するとで、携帯時の利便性を向上させる。
【符号の説明】
【００１１】  １  水筒本体
２  ねじ込み分離部
３  ループ状の突起物
４  運搬用カラビナ等の係留器具
５  飲用キャップ部
【図１】
0003191287.tif 000003
【手続補正書】
【提出日】平成26年3月14日(2014.3.14)
【手続補正１】
【補正対象書類名】実用新案登録請求の範囲
【補正対象項目名】全文
【補正方法】変更
【補正の内容】
【実用新案登録請求の範囲】
【請求項１】
プラスティックを用いた水筒であって、胴体部をねじ込み分離式とし、内側全面の洗浄が可能であるとともに、キャップ付近にカラビナを設け、持ち運びが容易なことを特徴とする水筒。
(57)【要約】      （修正有）【課題】簡単に牡蠣の身を取り出すことができる牡蠣剥ナイフを提供する。【解決手段】金属又は強化合成樹脂の平板を加工してなり、先端を反り上げた刃体１と握部２とを備える。刃体１と握部２との間に円盤部３を構成し、円盤部３の一部に凹部４を構成し、凹部４の内側にギザ刃５を設ける。【選択図】図１
0003191285.tif 000002
【実用新案登録請求の範囲】
【請求項１】
全体を金属、又は強化合成樹脂の平板で加工し刃体１の先端を反り上げ、円盤状３の一部に凹部４を構成し、その内側にギザ刃５を設けたことを特徴とする牡蠣剥きナイフ
【考案の詳細な説明】
【考案の詳細な説明】
【産業上の利用分野】
【０００１】  この考案は牡蠣の身を取り出す時に使うナイフに関するものである。
【背景技術】
【０００２】  これまでのナイフには凹部４を設けたものもありますがその凹部４にギザ刃５を設けたナイフは無かった。
【考案が解決しようとする課題】
【０００３】  したがって従来のナイフでは凹部４があっても滑って効率よく牡蠣殻の緑を欠くことはできなかった。
【課題を解決するための手段】
【０００４】  本考案を図面において説明すれば刃体１と握部２との間を円盤状３に構成し、円盤状３の一部に凹部４を設け、凹部４の内側にギザ刃５を設けた構造である。
【作用】
【０００５】  本考案は以上のような構成であるから、牡蠣殻の緑に凹部４を当てがい梃子の原理で牡蠣殻を欠き、その部分から刃体１を差し込み貝柱を切除して牡蠣の身を取り出す。
【実施例】
【０００６】  実施例について図面を参照して説明する。
図１において、全体を平板の金属もしくは強化合成樹脂で加工する。
【考案の効果】
【０００７】  凹部４の内側にギザ歯５を設けてあるから殻の緑に当がい梃子の原理で緑を欠きそこからナイフ刃体１を差し込み貝柱を切ると素人でも簡単に身を取り出すことができる。又、ギザ歯５を設けてあるため凹部４が、ガッチリ喰い込み楽に緑を欠くことができる。
【図面の簡単な説明】
【図１】  本考案の平面図である。
【図２】  本考案の側面図である。
【符号の説明】
【０００８】  １．刃体
２．握部
３．円盤状
４．凹部
５  ギザ歯
【図１】
0003191285.tif 000003
【図２】
0003191285.tif 000004
【手続補正書】
【提出日】平成26年3月17日(2014.3.17)
【手続補正１】
【補正対象書類名】実用新案登録請求の範囲
【補正対象項目名】全文
【補正方法】変更
【補正の内容】
【実用新案登録請求の範囲】
【請求項１】
金属又は強化合成樹脂の平板を加工してなり、先端を反り上げた刃体（１）と握部（２）とを備え、前記刃体と前記握部との間に円盤部（３）を構成し、前記円盤部の一部に凹部（４）を構成し、前記凹部の内側にギザ刃（５）を設けたことを特徴とする牡蠣剥きナイフ。
(57)【要約】      （修正有）【課題】大きめの荷物、重量がある荷物、滑りやすい荷物を肩や首に掛けて容易かつ安全に運搬できる一人用運搬ベルトを提供する。【解決手段】荷物の長辺に掛ける主ベルト１と、バックル付近に安定ベルトに中通しするためのループを有し、主ベルトと直角に掛け荷物を結束する副ベルト２と、一端を主ベルトに固定し、他端を主ベルトを中通しするループを有し、スライドする安定ベルトバックル４に装着し、副ベルトのループに中通しする安定ベルト３と、荷物の底で主ベルトと副ベルトとを交差するスライド５と、からなる。主ベルトで荷重を維持し、副ベルトと安定ベルトで、荷物の結束と揺れを防止する。安定ベルトがＶの字になるよう長さと安定ベルトバックルの位置を調整し、スライドにより荷物の底で主ベルトと副ベルトがずれないようにする。荷物の大きさや運搬者の身長の違いに自在に対応可能となる。【選択図】図１
0003191290.tif 000002
【実用新案登録請求の範囲】
【請求項１】
大きめの荷物、重量がある荷物、滑りやすい荷物の運搬において、バックル付きベルト３本で構成する一人用運搬ベルト、主ベルトは荷物の長辺に掛け荷重を維持する、副ベルトは荷物の短辺に掛け結束と安定ベルトの組み合わせにより、傾き及び揺れを防止する、安定ベルトは主ベルト及び副ベルトと連結し荷物の傾き及び揺れを防止する、ベルト長さを調整することにより荷物の大きさや運搬者の身長の違いに対応し、荷物を肩や首に掛け容易かつ安全に運搬することを特徴とした一人用運搬ベルト。
【考案の詳細な説明】
【技術分野】
【０００１】  本考案はベルトの組み合わせにより、荷物の大きさ、身長の違いでも自由にベルト長さを調節可能とし、一人で荷物を容易かつ安全に運搬するベルトに関するものである。
【背景技術】
【０００２】  荷物を運搬する場合で、台車等が使用できない場所への運搬の技術は、登録実用新案第３１１２９４０号、特開平０８−１８７１１８号等公報により公知となっている。
【先行技術文献】
【特許文献】
【０００３】
【特許文献１】登録実用新案第３１１２９４０号
【特許文献２】特開平０８−１８７１１８号
【特許文献３】特開２００９−０１１７３２号
【特許文献４】実開平０４−０８３０１９号
【特許文献５】実開昭６１−１７９９２号
【特許文献６】実開昭６２−００８９５８号
【特許文献７】実開昭５１−１１８６５７号
【特許文献８】実公昭４７−０１６３６６号
【特許文献９】実開昭５７−０７６５２９号
【考案の概要】
【考案が解決しようとする課題】
【０００４】  一人で大きめの荷物、重量がある荷物、滑りやすい荷物の運搬において、台車が使用できない階段のある建物への運搬や、道路幅が狭い道での荷物の運搬は荷物を両手に持って作業を行っている、しかし安全や荷物の落下に対しては十分とはいえない、また背負うと荷物が傾斜するため中の品物が荷崩れする場合がある。
【課題を解決するための手段】
【０００５】  本考案は、バックル付きベルト（主ベルト・副ベルト・安定ベルト等）を組み合わせ、荷物の大きさや運搬者の身長によりベルト長さを調節可能とし、荷物をワンタッチで吊り上げ可能な状態にして、荷物を肩や首から掛けることにより安全かつ容易に運搬することを目的とした。【０００６】  主ベルトは荷物の長辺に掛け、荷重を維持することを目的としたことを特徴とする。【０００７】  副ベルトは主ベルトと直角に掛け荷物を結束し、バックル付近に取り付けたループを安定ベルトに中通しすることで、荷物の傾き及び揺れを防止することを特徴とする。【０００８】  安定ベルトは片方を主ベルトに固定し、片方は主ベルトでスライドする安定ベルトバックルに装着する、長さ調節で安定ベルトがＶ字なるよう角度を付けることにより荷物の傾き及び揺れを防止することを特徴とする。【０００９】  安定ベルトバックルはループに主ベルトを中通し、安定ベルトを装着しスラドすることにより荷物の傾き及び揺れを防止することを特徴とする。【００１０】  スライドは荷物の大きさや運搬者の身長により荷物の底で主ベルトと副ベルトが中心部で交差するようスライドすることを特徴とする。
【考案の効果】
【００１１】  ベルト長さを自由に調整できることから、荷物の大きさや運搬者の身長の違いに対応可能、ワンタッチで装着できる、荷物を肩から掛けることにより、階段や狭い道でも安全に荷物の落下もなく運搬できる、片手が空く場合雨降りに傘がさせる、台車等が不要なため運搬後の帰りがコンパクトになる。
【図面の簡単な説明】
【００１２】
【図１】  本考案の実装図である。
【図２】  本考案の全体の構成図である。
【図３】  本考案の副ベルトの正面図である。
【図４】  本考案の安定ベルトバックルの正面図である。
【図５】  本考案のスライドの上部品及び下部品の構成図である。
【図６】  本考案のスライドの上部品と下部品を縫製した構成図である。
【考案を実施するための形態】
【００１３】  本考案で荷物に実装した状態が図１であり装着について説明する。
３本のベルトで構成しており、荷物の長辺に掛ける主ベルト（１）で荷重を維持し、短辺に掛ける副ベルト（２）と主ベルトに装着した安定ベルト（３）で荷物の結束と揺れを防止する、スライド（５）は荷物の底で主ベルト（１）と副ベルト（２）がずれないようにした。
使用方法は主ベルト（１）と安定ベルト（３）をバックルに仮装着する、主ベルト（１）と副ベルト（２）を広げる、スライド（５）が荷物の中心になるよう荷物を置き副ベルト（２）を締める、次に主ベルト（１）と安定ベルト（３）の長さを調節し肩や首に掛け運搬する。
安定ベルト（３）は水平に近いと揺れるので、Ｖの字になるよう長さと安定ベルトバックル（４）の位置を調節する。
【符号の説明】
【００１４】１  主ベルト
２  副ベルト
３  安定ベルト
４  安定ベルトバックル
５  スライド
【図１】
0003191290.tif 000003
【図２】
0003191290.tif 000004
【図３】
0003191290.tif 000005
【図４】
0003191290.tif 000006
【図５】
0003191290.tif 000007
【図６】
0003191290.tif 000008
【手続補正書】
【提出日】平成26年3月14日(2014.3.14)
【手続補正１】
【補正対象書類名】実用新案登録請求の範囲
【補正対象項目名】全文
【補正方法】変更
【補正の内容】
【実用新案登録請求の範囲】
【請求項１】
大きめの荷物、重量がある荷物、滑りやすい荷物を、荷物の大きさや運搬者の身長の違いに対応して、荷物を肩や首に掛け容易かつ安全に運搬するための一人用運搬ベルトであって、
荷物の長辺に掛ける主ベルトと、
バックル付近に安定ベルトに中通しするためのループを有し、前記主ベルトと直角に掛け荷物を結束する副ベルトと、
一端を前記主ベルトに固定し、他端を安定ベルトバックルに装着し、前記ループに中通しする安定ベルトと、
前記主ベルトを中通しするループを有し、前記安定ベルトを装着しスライドする安定ベルトバックルと、
荷物の底で前記主ベルトと前記副ベルトとを交差するスライドと、
からなることを特徴とする一人用運搬ベルト。
(57)【要約】      （修正有）【課題】表の数、文字を立体視して楽しむことができるトランプを提供する。【解決手段】トランプの表面の数、マークを裏面に、ステレオグラム加工して、表面の数、マークを立体視する。【選択図】図１
0003191281.tif 000002
【実用新案登録請求の範囲】
【考案の詳細な説明】
【００１】本考案は表の図を、裏の面で、立体視する。
【００２】トランプの裏に．装飾デザイン、文字、等ステレオグラム、加工する。
【図１】
0003191281.tif 000003
【図２】
0003191281.tif 000004
【手続補正書】
【提出日】平成26年3月19日(2014.3.19)
【手続補正１】
【補正対象書類名】実用新案登録請求の範囲
【補正対象項目名】全文
【補正方法】変更
【補正の内容】
【実用新案登録請求の範囲】
【請求項１】
トランプの表面の数、マークを裏面に、ステレオグラム加工して、表面の数、マークを立体視する、特徴とする、トランプ。
【請求項２】
トランプの表面の数、マークを裏面に、装飾デザイン、文字、数、図形、等、ステオグラム加工して、複数、組合わせて、立体視する特徴とする、トランプ。
【手続補正２】
【補正対象書類名】明細書
【補正対象項目名】全文
【補正方法】変更
【補正の内容】
【考案の詳細な説明】
【０００１】本考案は表の図を、裏の面で、立体視する。
【０００２】トランプの裏に．装飾デザイン、文字、等ステレオグラム、加工する。
【図面の簡単な説明】
【０００３】
【図１】図１は、表のハート１を、裏の点とハートのマークを立体視する構造である。
【図２】図２は、表のハート１を、裏の文字、デザイン、マークにより、立体視する構造である。
(57)【要約】      （修正有）【課題】添加物を用いることなく果物に含まれる栄養価を最大限保持した無添加ドライフルーツを提供する。【解決手段】果物に添加物を一切加えないで煮込んでペースト状にし薄く延ばしてシート状にした後、自然乾燥又は冷風吹きつけ乾燥後、適度な大きさに切りそろえ、真空パックによる包装を施す。果物は皮に栄養素が多く含まれているものであって、皮むきをしないでそのまま使用する。【選択図】図１
0003191260.tif 000002
【実用新案登録請求の範囲】
【請求項１】
果物（りんご、プラム、みかん、いちごなど）に添加物を一切加えないで煮込んでペースト状にし薄くのばしてシート状にした後、自然乾燥又冷風吹き付け乾燥後、適度な大きさに切り揃える無添加ドライフルーツの製造法に関する。
【請求項２】
皮に栄養素が多く含まれている果物は皮むきをしないで、そのまま使用することを特徴とする請求項１記載の無添加ドライフルーツ製造法。
【請求項３】
真空パックなどの包装を施すことによって栄養価の高い保存食として利用可能を特徴とする請求項１記載の無添加ドライフルーツ製造法。
【考案の詳細な説明】
【技術分野】
【０００１】果物の中でりんごは皮と実の間には多くのベクチンが含まれ、皮そのものにはポリフェノールが含まれており、抗酸化作用を高めたり、高血圧の予防に効果があるので、皮に栄養価がある果物は皮むきをしないでそのまま煮込むことを特徴とする。【０００２】本考案は添加物を用いることなく、単独で煮込むことによって果物の含有率を高めることを特徴とする。
【背景技術】
【０００３】りんごやみかんなどの果物を煮込んで味覚を改善するためにグラニュー糖や他の添加物を加えてジャムとして市販されている。【０００４】果物、野菜を粉末状にして乾燥材料を加えミキサーで混ぜる時に水分や液体材料を加えてペースト状にした後シート化させオーブンで焼き上げたスナックチップが一般に知られている。
【先行技術文献】
【特許文献】
【０００５】
【特許文献１】特表２０１０−５１６２９５  シート状の果物スナック及び野菜スナックの製造法
【考案の概要】
【０００６】特表２０１０−５１６２９５に記載されている製造法には果物を粉末状にして水分、液体材料を加え焼き上げる方法であって煮込む工程が含まれていない。
【０００７】更に特表２０１０−５１６２９５に記載されている製造法は果物、野菜を粉末状にして混合させる方法であるため果物の有する独自の味覚が損なわれる恐れがある。
【考案を解決しようとする課題】
【０００８】皮そのものに栄養価がある果物、例えばりんごにはベクチンやポリフェノールが含まれているので、その栄養価を最大限保持するドライフルーツの製造を可能にすること。
【問題を解決するための手段】
【０００９】果物を直接煮込むことによって栄養価が保持され、更に味覚面においても甘味の向上が図られる。
【考案の効果】
【００１０】果物の有する栄養価を保持し、添加物を使用しないで本来の味覚を維持向上させるためには煮込んでペースト状にする工程を行う必要がある。
【００１１】皮付きのまま煮込むことによって栄養価の高いドライフルーツの製造が可能になった。
【００１２】のばす工程において極めて薄いシートにすることによって例えばポテトチップのように軽くて食感の優れたドライフルーツにすることが可能になった。
【図面の簡単な説明】
【００１３】以下本考案の無添加ドライフルーツの製造法の実施形態について説明する。
【図１】図表１は第１の実施形態のフローチャートであり、本考案の製造工程を示すものであ。
【符号の説明】
【００１４】１、  果物類
２、  除菌、洗浄
３、  カット
４、  ミキサー
５、  煮込む
６、  シート化
７、  乾燥
８、  形状揃え
９、  包装
【図１】
0003191260.tif 000003
【手続補正書】
【提出日】平成26年1月16日(2014.1.16)
【手続補正１】
【補正対象書類名】実用新案登録請求の範囲
【補正対象項目名】全文
【補正方法】変更
【補正の内容】
【実用新案登録請求の範囲】
【請求項１】
果物に添加物を一切加えないで煮込んでペースト状にし薄く延ばしてシート状にした後、自然乾燥又は冷風吹きつけ乾燥後、適度な大きさに切りそろえ、真空パックによる包装を施したことを特徴とする無添加ドライフルーツ。
【請求項２】
前記果物は皮に栄養素が多く含まれているものであって、皮むきをしないでそのまま使用することを特徴とする請求項１記載の無添加ドライフルーツ。
(57)【要約】      （修正有）【課題】使用中に痛みが少なくずれたり脱落することが無い加圧ベルトを提供する。【解決手段】脚に巻いた一本の加圧ベルトの左右両端で伸縮強度を変えるため、左側を強い伸縮力の端末バインダー２にし、右側を弱い伸縮力の端末バインダー３にして、人体に圧着する内側の全部又は一部に滑り止め素材１を使用する。【選択図】図１
0003191274.tif 000002
【実用新案登録請求の範囲】
【請求項１】
人体装着時に接地面全体で均等な加圧力が得られ様に１本のベルト上で両端の伸縮強度を違えたことを特徴とする左右一対の加圧ベルト。
【請求項２】
請求項１の加圧ベルトは人体と接する内面に滑りにくい素材を使用していることを特徴とする左右一対の加圧ベルト。
【考案の詳細な説明】
【技術分野】
【０００１】腕や脚にベルトを巻いて虚血状態下で運動をすることでホルモンの発生を促し筋肉を修復したり増強するトレーニング用の加圧ベルトに関する。
【背景技術】
【０００２】現在海外を含む官民学の医療機関やジム施設で使用する加圧ベルトの大半を開発生産してきた本願の考案者は海外からの粗悪な無断複製品が出回っている現状から加圧の優れた効力が風化してしまうことを危惧し生産者の立場から構造の基準に成り得る未来モデルを提案するに至った。、
長い経験から一般的な加圧ベルトの構造はネオプレーンゴムに代表される緩衝性を持った伸縮性素材や面ファスナー機能を持つ伸縮起毛素材を短冊状に裁断して形成された帯体や板ゴム等を用いて目標とした加圧の強度値が出せる迄単一或いは適宜複数選択して束ね一本のベルト形状にして面ファスナー又は樹脂バックルで止着する構造と成っている。
【先行技術文献】
【特許文献】
【０００３】
【文献１】
特願平５−３１３９４９
【考案の概要】
【考案が解決しようとする課題】
【０００４】加圧ベルトの使用目的は腕、脚に巻いて加圧し虚血状態でストレッチ、エクササイズ、歩行等の運動をして身体の筋力を回復、向上することにある。
ところが脚に関して例えると従来の一定な伸縮力を持った素材を束ねたベルトでは装着する脚の付け根側は太いので強く締まり膝側は細いので緩く締まりベルト面全体で脚に均等に加圧することが出来ない。
この欠陥は運動中の筋肉の扇動に依って増幅され、巻いた位置がズレてしまい不快な痛みだけで無くポイントもずれて加圧本来の効果が失われてしまう。
そればかりかリハビリ目的で緩い低圧装着で使用した場合脚からベルトが落ちてしまい使用中何回も巻き直す煩わしさが有った。
【課題を解決するための手段】
【０００５】従来の伸縮強度が均一な素材を帯状に束ねた加圧ベルトに代えて１本のベルト上で幅両端の伸縮強度を違えた。
人体の形状は純粋な円筒形では無い。どの部位を選択しても凹凸と傾斜になる。
例えば脚に巻いた加圧ベルトの上方になる脚の付け根側を弱い伸縮強度にし下方に成る膝側を強く締まる様にベルト幅両端の伸縮強度を違えた。
またベルトが人体と接する内面に脱落を防止する目的で接地面積の全部又は一部に滑りにくい素材を使用した。
滑りにくい素材とはゴム、スポンジの様に表面に微気孔を有する材料から樹脂発泡等の化学的に加工した市販で売られているノンスリップ素材全般を指す。
【考案の効果】
【０００６】高齢化社会の現環境下に於いては健康維持や病後のリハビリに加圧方法が取り入れられる様に成ってきた。弱い加圧でスローで長く使用する高齢者は容易に外れてしまうと自分で巻き直すことが出来ない。その度にインストラクターが巻き直さなければならない。
頻繁に脱落すると加圧本来の効果が発揮出来ない。
本考案は太ももの傾斜した角度に対して平行に面全体で圧着出来るので痛みも軽減し、ずれたり外れたりする事無く加圧本来の効果を正確且つ安定して発揮できる。
また加圧ベルトが脱落する度に巻き直す重大な欠陥も解消する。
【図面の簡単な説明】
【０００７】
【図１】左脚用加圧ベルトの背面図である。
【図２】左脚用加圧ベルトの正面図である。
【図３】従来のベルトを右脚に本考案を左脚に巻いた参考正面図である。
【図４】Ａ−Ａ’の断面図である。
【考案を実施するための形態】
【０００８】加圧ベルトの左右両端で伸縮強度を変えるとはベルトに使用する板ゴムであれば縦糸役の伸縮ゴムの強度を左側を強く右側を弱く或いはグラデーション状に端から順に強度を増やす織機のセット方法で板ゴムを織る。
普通の板ゴムであっても幅の片側だけに細い幅の板ゴムを重ねれば若干の違和感は有るがほぼ同じ効果が得られる。
加圧ベルトの両端面を覆う縁取りゴムの左側と右側で強度の違う伸縮テープをベルトの長手方向巻く。ベルトに使用する素材が反物或いは板盤形状であれば裁断時のパターンが長手方向にカーブして裁断する。
上記の様にベルト用に選択した素材が異なっても両側端末の強度は変えられる。
【考案の実施例】
【０００９】被加圧者の脚に加圧ベルトの背面を当てて一方のベルト端末をもう一方の端末に備えたバックル４に通し、おり返して面テープで止着する。加圧ベルトはカーブしているので脚に巻き終わると脚表面上で均等に面接地する。
【符号の説明】
【００１０】１、滑り止め素材。
２、強い伸縮力の端末バインダー
３、弱い伸縮力の端末バインダー
４、バックル
５、従来のベルト
６、本考案のベルト
７、板ゴム
８、面ファスナー雌
９、面ファスナー雄
【図１】
0003191274.tif 000003
【図２】
0003191274.tif 000004
【図３】
0003191274.tif 000005
【図４】
0003191274.tif 000006